(57)【要約】【課題】表示の管理や変更を容易に行えるとともに、自動改札機での改札処理に影響を受けることなく情報を発信できるようにする。【解決手段】駅の改札口に設置された自動改札機３００に電子ペーパディスプレイユニット１００が設置されており、データ管理装置２００は、電子ペーパディスプレイユニット１００にネットワーク４００を介して表示用データを配信する。電子ペーパディスプレイユニット１００は、改札処理に付随する情報を表示するディスプレイユニット３０４とは別に設置されており、データ管理装置２００は、電子ペーパディスプレイユニット１００に、例えば広告のデータや列車の運行状況のデータを配信して表示させる。【選択図】図１
2008217098.tif 000002
【特許請求の範囲】
【請求項１】
改札処理に付随する情報を表示する表示手段とは別に自動改札機に設置された電子ペーパディスプレイ装置と、
前記電子ペーパディスプレイ装置にネットワークを介して表示用データを配信するデータ管理装置とを備え、
前記電子ペーパディスプレイ装置は前記データ管理装置から配信された表示用データを表示することを特徴とする表示システム。
【請求項２】
前記電子ペーパディスプレイ装置は、前記自動改札機の上面及び入口側正面のうち少なくともいずれか一方に設置されることを特徴とする請求項１に記載の表示システム。
【請求項３】
前記電子ペーパディスプレイ装置は、電子ペーパディスプレイと、前記電子ペーパディスプレイを取り囲むフレームとを含んでユニット化されていることを特徴とする請求項１又は２に記載の表示システム。
【請求項４】
前記データ管理装置は、前記電子ペーパディスプレイ装置による表示状況を記録したログを生成するログ生成手段を備えることを特徴とする請求項１〜３のいずれか１項に記載の表示システム。
【請求項５】
前記表示用データは広告のデータ、又は、交通機関の運行状況のデータを含むことを特徴とする請求項１〜４のいずれか１項に記載の表示システム。
【発明の詳細な説明】
【技術分野】
【０００１】
本発明は、自動改札機を利用して情報発信するようにした表示システムに関する。
【背景技術】
【０００２】
鉄道の駅の改札では、非接触ＩＣカードを利用した自動改札機が普及している。非接触ＩＣカードは、定期券情報、乗車券や特急券等のデジタルチケット情報、ストアードフェア（ＳＦ）の残額情報等のデータを書き換え可能に記憶する。そして、アンテナ及びリーダ／ライタを備えた自動改札機が非接触ＩＣカードと無線通信を行い、非接触ＩＣカードから情報を取得したり、非接触ＩＣカードの情報を書き換えたりする改札処理を行う。
【０００３】
この種の自動改札機には、改札処理に付随する情報、例えば改札処理において判断した定期券情報の有効性やＳＦの利用料金及び残額情報等を表示する表示手段（ディスプレイ）が設けられている。
【０００４】
【特許文献１】特開２００３−４４８８５号公報
【発明の開示】
【発明が解決しようとする課題】
【０００５】
自動改札機は、不特定多数の乗降客が利用する点で、有効な情報発信源となりうる。これまでも、自動改札機の空きスペースに広告用ステッカーを貼ること等が行われていた。しかしながら、広告用ステッカーを貼る場合、掲示期間等の管理を別途行わなければならず、その貼り替え作業にも手間や費用がかかってしまう。
【０００６】
また、例えば特許文献１には、自動改札機の表示手段に広告情報を表示する広告システムが開示されている。しかしながら、上述したように、自動改札機の表示手段は、本来、改札処理に付随する情報を表示するためのものである。そのため、自動改札機の表示手段を利用するのでは、改札処理時、すなわち乗降客が自動改札機を通過する時に広告情報が表示されず、また、広告表示が不定期なものとなり、有効な情報発信がなされているとはいえない。
【０００７】
本発明は、上記のような点に鑑みてなされたものであり、表示の管理や変更を容易に行えるとともに、自動改札機での改札処理に影響を受けることなく情報を発信できるようにすることを目的とする。
【課題を解決するための手段】
【０００８】
本発明による表示システムは、改札処理に付随する情報を表示する表示手段とは別に自動改札機に設置された電子ペーパディスプレイ装置と、前記電子ペーパディスプレイ装置にネットワークを介して表示用データを配信するデータ管理装置とを備え、前記電子ペーパディスプレイ装置は前記データ管理装置から配信された表示用データを表示することを特徴とする。なお、本発明でいう改札処理とは、自動改札機において磁気券或いは非接触ＩＣカードから情報を読み取る処理をいう。
【発明の効果】
【０００９】
本発明によれば、表示の管理や変更を容易に行えるとともに、自動改札機での改札処理に影響を受けることなく情報を発信させることができる。
【発明を実施するための最良の形態】
【００１０】
以下、添付図面を参照して、本発明の好適な実施形態について説明する。
図１には、本発明を適用した実施形態に係る表示システムの構成を示す。同図に示すように、駅の改札口に設置された自動改札機３００には、電子ペーパディスプレイユニット１００が設置される。また、データ管理サーバ２００は、電子ペーパディスプレイユニット１００にネットワーク４００やＨＵＢ４０１を介して表示用データを配信する。なお、図１では１台の自動改札機３００しか図示しないが、データ管理装置２００は駅ごとに設置され、或いは、複数の駅を管理するように設置されており、データ管理装置２００には複数台の自動改札機３００の電子ペーパディスプレイユニット１００が接続する。
【００１１】
（自動改札機３００及び電子ペーパディスプレイユニット１００）
自動改札機３００は、図２に示すように、駅の改札口において左右に並べて設置されることにより、その間に乗降客が通行する通路を構成する。図２の例は、１つの通路構成で入出場の両方の機能を持つように自動改札機３００が設置された例であり、例えば図中右側が改札側の自動改札機、図中左側が集札側の自動改札機となっている。
【００１２】
自動改札機３００の上面には、入口側に磁気券を投入する投入口３０１、非接触ＩＣカードの読み取り部３０２ａが設けられる。自動改札機３００の主制御部３０３（図１を参照）は、投入口３０１に投入された磁気券、或いは、読み取り部３０２ａにかざされた非接触ＩＣカードから情報を読み取って、その情報に基づいて各種処理を行う。
【００１３】
また、自動改札機３００の上面には、出口側に磁気券を排出する排出口（不図示）を有するディスプレイユニット３０４が設けられており、改札処理に付随する情報、例えば改札処理において判断した定期券情報の有効性や、ＳＦの利用料金及び残額情報等を表示する。
【００１４】
自動改札機３００の側面には、入口側及び出口側の二箇所に扉３０５が設けられており、改札処理に応じて開閉し、乗降客の通行を規制したり、許可したりする。
【００１５】
ここで、自動改札機３００の上面には、読み取り部３０２ａを有するＩＣ判定ユニット３０２とディスプレイユニット３０４との間に電子ペーパディスプレイユニット１００が設置される。すなわち、図３に示すように、自動改札機３００の骨組みとなるステンレスフレーム３０６上に、入口側から、ＩＣ判定ユニット３０２、電子ペーパディスプレイユニット１００、ディスプレイユニット３０４が連設される。
【００１６】
電子ペーパディスプレイユニット１００は、図４に示すように、ネットワーク４００に接続するための端子１０１ａを備えた電子ペーパディスプレイ１０１と、電子ペーパディスプレイ１０１を取り囲む樹脂製のフレーム１０２とを含んでユニット化されており、全体として薄板形状となっている。
【００１７】
このようにした電子ペーパディスプレイユニット１００をステンレスフレーム３０６上に載置すると、図３に示すように、自動改札機３００の上面部を構成する他の部位、すなわちＩＣ判定ユニット３０２及びディスプレイユニット３０４に段差なく連続するようになっている。これにより、自動改札機３００の上面部において外観上の一体感を生じさせることができる。
【００１８】
現行の自動改札機３００では、ＩＣ判定ユニット３０２と、ディスプレイユニット３０４との間に、段差をなくために薄板形状の樹脂製のパネル（不図示）を載置していたが、そのパネルの全て或いは一部に替えて、電子ペーパディスプレイユニット１００を載置するようにしたものである。このように自動改札機３００そのものに改良や設計変更をほとんど加えることなく、電子ペーパディスプレイユニット１００を簡易に設置することができる。
【００１９】
また、図１に示すように、自動改札機３００の入口側正面にも、投入口３０１の下方に電子ペーパディスプレイユニット１００が設置される。なお、電子ペーパディスプレイユニット１００の構造は既述したとおりであり、自動改札機３００の入口側正面部を構成する他の部位に段差なく連続するようになっている点も同様である。
【００２０】
電子ペーパディスプレイは電力供給がなくても表示が残存するので、表示更新時にのみ電力が消費され、低消費電力化を図ることができる。したがって、図１に示すように、自動改札機３００の電源３０７を電子ペーパディスプレイユニット１００の電源として使用しても、自動改札機３００で電力不足になることはない。もちろん、自動改札機３００の電源３０７とは別に、電子ペーパディスプレイユニット１００専用の電源を設けてもよい。例えば太陽電池等の電源も含めて電子ペーパディスプレイユニット１００をユニット化させておけば、自動改札機３００側との接続作業を行う必要もなくなる。
【００２１】
本実施形態では、乗降客が視認しやすい自動改札機３００の上面及び入口側正面の両方に電子ペーパディスプレイユニット１００を配置したが、そのうちのいずれか一方にのみ配置してもよい。自動改札機３００の上面に電子ペーパディスプレイユニット１００を設置する場合には、より視認性を高めるために、図３に示すように、電子ペーパディスプレイユニット１００の表示画面が入口側に向くように傾斜させるのが好ましい。
【００２２】
（データ管理装置２００）
データ管理装置２００は、電子ペーパディスプレイユニット１００に表示させる表示用データをデータベース２０１として蓄積するとともに、その表示用データを電子ペーパディスプレイユニット１００に配信する。データベース２０１に蓄積される表示用データは、自動改札機３００での改札処理に付随しない内容のデータ、例えば広告のデータである。
【００２３】
データ管理装置２００において、２０２は管理部であり、データベース２０１として蓄積される表示用データやネットワーク４００を介して配信した表示用データを管理する。例えば、どの広告のデータをどの駅の電子ペーパディスプレイユニット１００（地域）にどれだけの期間（時間）表示させるかといった表示スケジュール従って表示用データを管理する。また、時間帯や曜日に応じて広告を変更するようにしておけば、広告のターゲットを絞り込んで、高い広告効果が期待できる。
【００２４】
２０３は配信部であり、管理部２０２による制御下、電子ペーパディスプレイユニット１００にネットワーク４００を介して表示用データを配信する。既述したように、電子ペーパディスプレイは電力供給がなくても表示が残存するので、配信部２０３から表示用データが配信されると電子ペーパディスプレイユニット１００の表示が更新され、次に表示用データが配信されるまではそのまま表示が残存する。
【００２５】
２０４はログ生成部であり、電子ペーパディスプレイユニット１００による表示状況を記録したログを生成する。例えば、電子ペーパディスプレイユニット１００ごとに、どの広告データをどれだけの期間表示させたかについてのログを生成する。広告の場合、その掲示場所や掲示期間によって当然ながら料金は異なり、このログを生成しておくことにより、広告主に対して明確な料金体系で課金することができる。
【００２６】
なお、本実施形態では広告を例に説明したが、自動改札機３００での改札処理に付随しない内容のデータであればよく、例えば列車の運行状況のデータを配信して表示させるようにしてもよい。
【００２７】
図５には、データ管理装置２００のハードウェア構成例を示す。データ管理装置２００は、ＣＰＵ２０と、入力装置２１と、表示装置２２と、記憶装置２３と、通信装置２４とを含み、各部はバス２５を介して接続される。記憶装置２３はＲＯＭ、ＲＡＭ、ＨＤ等により構成されており、データ管理装置２００の動作を制御するプログラムが格納される。ＣＰＵ２０がプログラムを実行することによってデータ管理装置２００の機能、又は処理を実現する。また、記憶装置２３にデータベース２０１が格納される。また、入力装置２１はキーボードやポインティングデバイス等で構成され、この入力装置２１を用いて表示スケジュールを入力することができる。
【００２８】
以上述べたように、自動改札機３００に電子ペーパディスプレイユニット１００を設置するとともに、データ管理装置２００で表示用データを一元的に管理し、その表示用データをネットワーク４００を介して配信するようにしたので、表示の管理や変更を容易に行うことができる。
【００２９】
さらに、電子ペーパディスプレイユニット１００を、改札処理に付随する情報を表示するディスプレイユニット３０４とは別に設けたので、乗降客が自動改札機３００を通過する時に情報が表示されなかったり、表示が不定期なものとなったりすることがなく、自動改札機３００を有効な情報発信源とすることができる。
【００３０】
以上、本発明を種々の実施形態と共に説明したが、本発明はこれらの実施形態にのみ限定されるものではなく、本発明の範囲内で変更等が可能である。例えば、上記実施形態では、データ管理装置２００からデータが配信されると電子ペーパディスプレイユニット１００の表示が更新される例を説明したが、例えば電子ペーパディスプレイユニット１００側に、データ管理装置２００から配信された複数種のデータを記憶するメモリと、データ管理装置２００から送信された表示スケジュールに従ってメモリ内のデータを電子ペーパディスプレイ１００に表示させる表示制御回路とを持たせるようにしてもよい。
【図面の簡単な説明】
【００３１】
【図１】実施形態に係る表示システムの構成を示す図である。
【図２】自動改札機の外観図である。
【図３】自動改札機の上面部の構成を示す図である。
【図４】電子ペーパディスプレイユニットの構成を示す図である。
【図５】データ管理装置のハードウェア構成例を示す図である。
【符号の説明】
【００３２】
１００    電子ペーパディスプレイユニット
１０１    電子ペーパディスプレイ
１０２    フレーム
２００    データ管理装置
２０１    データベース
２０２    管理部
２０３    配信部
２０４    ログ生成部
３００    自動改札機
４００    ネットワーク
【図１】
2008217098.tif 000003
【図２】
2008217098.tif 000004
【図３】
2008217098.tif 000005
【図４】
2008217098.tif 000006
【図５】
2008217098.tif 000007